(57)【特許請求の範囲】
【請求項１】
流体管の分岐部においてフランジを介して接続された付属部品を、不断水状態で脱着する付属部品の脱着装置であって、
前記流体管側のフランジと前記付属部品側のフランジとの両フランジの外周及び接合面間を水密に被覆する筒部を備えた分割構造の弁筐体と、
該弁筐体に配設され前記両フランジの間に嵌挿可能な弁体と、
前記弁筐体に設けられ前記弁体を流体管側のフランジに向かって押圧する押圧部と、
前記弁筐体の前記筒部の外周に水密に連通して着脱可能に取付けられる取付筐体と、
を備え、
前記押圧部が前記弁体を流体管側のフランジに向かって押圧し、前記付属部品を取外した後に、前記流体管側のフランジの接合面を清掃するスイーパロッドが、前記取付筐体に貫設されていることを特徴とする付属部品の脱着装置。
【請求項２】
前記取付筐体に、弾性を有し前記スイーパロッドが貫通する環状体が設けられていることを特徴とする請求項１に記載の付属部品の脱着装置。
【請求項３】
前記取付筐体に、前記流体管側のフランジの接合面に向かって透光する透光部が設けられていることを特徴とする請求項１または２に記載の付属部品の脱着装置。
【請求項４】
前記透光部は、前記スイーパロッドが貫通する環状に形成されていることを特徴とする請求項３に記載の付属部品の脱着装置。
【請求項５】
前記スイーパロッドは、前記流体管側のフランジと略同軸に設けられていることを特徴とする請求項１ないし４のいずれかに記載の付属部品の脱着装置。
【発明の詳細な説明】
【技術分野】
【０００１】
本発明は、流体管の分岐部においてフランジを介して接続された付属部品を、不断水状態で脱着する付属部品の脱着装置に関する。
【背景技術】
【０００２】
従来、既設管の分岐部にフランジを介して接続される例えば空気弁及び補修弁等の付属部品を、交換あるいは保守点検等のために流体管に対して脱着する場合、付属部品を流体管から外す際に水圧等で多量の管内流体が流出するため、その付属部品が接続されている流体管の流体の流れを遮断し、そのフランジ同士を連結しているボルトを挿脱して付属部品を脱着していた。また、分岐部に接続された付属部品を不断流状態で交換する場合には、密閉ケースによって分岐部を付属部品も含めて外部から覆い、分岐部のフランジに密閉ケースの外からの操作で付属部品を押圧するとともに、付属部品を交換するために密閉ケース内を仕切る作業弁が用いられている（例えば、特許文献１参照）。
【０００３】
【特許文献１】特許第３５３３２７６号公報（第３頁、第３図）
【発明の開示】
【発明が解決しようとする課題】
【０００４】
しかしながら、特許文献１にあっては、分岐部及び付属部品に対し比較的大きな密閉ケースを漏れのないように立設する必要があり、しかも大きな密封ケースの外側から流体管側のフランジにアプローチするのが困難であり、このフランジの清掃が作業し難いという問題があった。
【０００５】
本発明は、このような問題点に着目してなされたもので、脱着のための装置が大型化することなく、不断水状態で流体管側のフランジの清掃作業を容易に行うことができる付属部品の脱着装置を提供することを目的とする。
【課題を解決するための手段】
【０００６】
上記課題を解決するために、本発明の請求項１に記載の付属部品の脱着装置は、
流体管の分岐部においてフランジを介して接続された付属部品を、不断水状態で脱着する付属部品の脱着装置であって、
前記流体管側のフランジと前記付属部品側のフランジとの両フランジの外周及び接合面間を水密に被覆する筒部を備えた分割構造の弁筐体と、
該弁筐体に配設され前記両フランジの間に嵌挿可能な弁体と、
前記弁筐体に設けられ前記弁体を流体管側のフランジに向かって押圧する押圧部と、
前記弁筐体の前記筒部の外周に水密に連通して着脱可能に取付けられる取付筐体と、
を備え、
前記押圧部が前記弁体を流体管側のフランジに向かって押圧し、前記付属部品を取外した後に、前記流体管側のフランジの接合面を清掃するスイーパロッドが、前記取付筐体に貫設されていることを特徴としている。
この特徴によれば、流体管側のフランジと付属部品側のフランジとの両フランジの外周及び接合面間を水密に被覆する弁筐体の筒部を活用し、スイーパロッドが貫設された取付筐体を、弁筐体の筒部の外周に取付けでき、フランジに直接取付ける弁筐体、及びこれに連通した取付筐体を小型化でき、小型化した取付筐体に貫設したスイーパロッドを用いて、付属部品を取外し弁体を開放状態にすることで露わになった流体管側のフランジの接合面を、このフランジに向かって容易にアプローチして清掃することで、新たに付属部品を、清掃後のフランジに異物等を介在させることなく取付けできるため、流体管の分岐部内を止水する止水手段を特段に用いることなく、フランジを通じて流体管から漏洩させずに付属部品の脱着作業を確実に行える。
【０００７】
本発明の請求項２に記載の付属部品の脱着装置は、請求項１に記載の付属部品の脱着装置であって、
前記取付筐体に、弾性を有し前記スイーパロッドが貫通する環状体が設けられていることを特徴としている。
この特徴によれば、弾性を有する環状体を支点として、スイーパロッドを前後左右に自由に動作することができるため、フランジの接合面の全面に亘って清掃できる。
【０００８】
本発明の請求項３に記載の付属部品の脱着装置は、請求項１または２に記載の付属部品の脱着装置であって、
前記取付筐体に、前記流体管側のフランジの接合面に向かって透光する透光部が設けられていることを特徴としている。
この特徴によれば、取付筐体に設けられている透光部を通じ、流体管側のフランジの接合面を目視確認しながら、スイーパロッドにより異物等を残すことなく接合面を確実に清掃できる。
【０００９】
本発明の請求項４に記載の付属部品の脱着装置は、請求項３に記載の付属部品の脱着装置であって、
前記透光部は、前記スイーパロッドが貫通する環状に形成されていることを特徴としている。
この特徴によれば、スイーパロッドが貫通する透光部が環状に形成されているため、この透光部を通じて、フランジの接合面にアプローチするスイーパロッドを接合面の全面に亘って目視確認し易い。
【００１０】
本発明の請求項５に記載の付属部品の脱着装置は、請求項１ないし４のいずれかに記載の付属部品の脱着装置であって、
前記スイーパロッドは、前記流体管側のフランジと略同軸に設けられていることを特徴としている。
この特徴によれば、流体管側のフランジと略同軸に設けられているスイーパロッドを用いて、フランジの接合面の全面に亘り周方向に均等にアプローチできる。
【発明を実施するための最良の形態】
【００１１】
本発明の実施例を以下に説明する。
【実施例】
【００１２】
本発明の実施例を図面に基づいて説明すると、先ず図１は、付属部品としての補修弁及び空気弁が接続された流体管を示す正面図である。図２は、空気弁を取外した流体管を示す正面図である。図３は、弁筐体及びフランジ体を示す斜視図である。図４（ａ）は、弁筐体の一部断面を示す平面図であり、（ｂ）は、（ａ）と同じく側面図である。図５は、フランジに弁筐体を取付けた状態を示す断面図である。図６は、補修弁を取外した状態を示す断面図である。図７（ａ）は、フランジ体の平面図であり、（ｂ）は、（ａ）と同じく一部断面を示す側面図である。図８（ａ）は、スイーパロッドが貫設された取付筐体を示す平面図であり、（ｂ）は、（ａ）と同じく側断面図である。図９は、取付筐体を取付けた状態を示す断面図である。図１０は、スイーパロッドを用いてフランジを清掃する状況を示す断面図である。図１１（ａ）は、固定板を示す平面図であり、（ｂ）は、新たに短管を接続する状況を示す断面図である。図１２は、新たに短管、補修弁を接続し弁筐体を取外した状態を示す断面図である。図１３は、新たに短管、補修弁及び空気弁を接続した状態を示す正面図である。
【００１３】
図１は、本発明が適用される上水が流通する流体管１と、それに取付けられた既設の付属部品としての補修弁２、及び補修弁２に接続された空気弁７を示すものである。補修弁２は、下端部に設けられた付属部品側のフランジ２ａが、流体管１の上部外周面に接合された上方を向く分岐部としての分岐管４の上端に設けられた流体管１側のフランジ５に、図示しないシートパッキンを介して対面するとともに、両フランジ２ａ、５が、複数本の既設ボルト３により接合されている。
【００１４】
空気弁７は、空気孔を備えた弁箱７ａと、この弁箱７ａの内部に収容される図示しないフロートとから主として構成され、更に弁箱７ａの内部が補修弁２及び分岐管４を介して流体管１内と連通しており、流体管１内の水位に応じて上下変位する前記フロートにより、流体管１内の空気を外部に放出若しくは外部の空気を流体管１内側に取り込めるように成っている。
【００１５】
補修弁２は、弁箱２ｂの内部を開閉可能に回動する回動弁２ｃを有しており（図５参照）、通常時において回動弁２ｃは開放状態で空気弁７と流体管１内とを連通しているが、空気弁７の点検・交換時には回動弁２ｃを閉塞状態として、空気弁７を取外し可能とする。また、弁箱２ｂとフランジ２ａとは、比較的近傍に位置している。
【００１６】
以下に、不断水状態における既設の付属部品の取外し及び新設の付属部品の取付けについて説明する。
【００１７】
図２に示されるように、補修弁２のハンドル２ｄを回動して弁箱２ｂ内部の回動弁２ｃを閉塞状態とした後に、補修弁２と空気弁７とを接続していたボルト・ナット８を取外し、空気弁７を取り除く。続いて、分岐管４のフランジ５と補修弁２のフランジ２ａとを接続している複数本の既設ボルト３のうち１本を取外し、代わりに作業ボルト９を取付ける。この作業を繰返して複数本の既設ボルト３を全て新設の作業ボルト９に交換する。このようにすることで、後述する弁筐体１０取付け時における作業ボルト９の取外し作業が容易となる（図５参照）。尚、流体管１内は上水が満ちており内圧が掛かっているが、複数本の既設ボルト３のうち一時的に１本を取外しても、他のボルト３、９により、流体管１内から外部に漏水することはない。
【００１８】
次に、後述のように付属部品の脱着装置を流体管１の外周面側に配設する。図３に示されるように、脱着装置は、分岐管４のフランジ５と補修弁２のフランジ２ａとの対向する接合面間を水密に被覆する分割構造の弁筐体１０と、弁筐体１０に配設され両フランジ２ａ、５の対向する接合面間に嵌挿可能な弁体１１と、から主として構成される。また、弁体１１を分岐管４のフランジ５に向かって押圧する押圧部としての押圧ボルト１２が、弁筐体１０の周方向に所定間隔を空けた計３箇所において、それぞれ螺挿されて設けられている。更に、後述のように取付ける取付筐体１４と弁筐体１０とに介設されるフランジ体１３が、弁筐体１０に着脱可能に形成されている。
【００１９】
図４（ａ）、（ｂ）に示されるように、弁筐体１０について詳述すると、弁筐体１０は、ボルト・ナット１９により接続される２分割構造であって、両フランジ２ａ、５と略同じ内径を有する円筒部１０ａと、開口１０ｃを通じて弁体１１を円筒部１０ａ内に出し入れ可能に弁体１１を収容する収容部１０ｂと、から成り、円筒部１０ａの内周面に亘って弾性を有する防水部材１５が配設されている。弁体１１は、フランジ５の開口を全面に亘って被覆できる平面を有し、図５に示されるように、フランジ５の接合面としての上面５ａに当接する弁体１１の下面は、ゴム等の防水性を有する部材で構成されている。また、弁体１１に接続された操作ハンドル１１ａが、収容部１０ｂの端面から外部に突出している。更に、収容部１０ｂ上面に、排水弁３８が配設されており、収容部１０ｂ内の水を排水可能と成っている。
【００２０】
次に、弁筐体１０のフランジ２ａ、５への取付けについて説明すると、弁体１１を収容部１０ｂ内部に収容し、且つ押圧ボルト１２の先端を円筒部１０ａの内周面よりも外方に螺挿した状態において、フランジ２ａ、５の外周面に、円筒部１０ａの内周面に配設された防水部材１５を周方向に亘って密接させ、且つフランジ２ａ、５の接合面間に弁体１１を嵌挿可能な高さ位置において、弁筐体１０をフランジ２ａ、５に取付ける。円筒部１０ａの下部に上下方向に螺挿されたボルト２０を適宜螺挿することで、弁筐体１０のフランジ２ａ、５に対する位置決めが可能となる。このように取付けることで、フランジ２ａ、５の接合面間は弁筐体１０により水密に被覆されている。
【００２１】
続いて、両フランジ２ａ、５を水密に接続している作業ボルト９を緩め、両フランジ２ａ、５の対向する接合面間に若干の間隙が形成されるように、補修弁２をフランジ５に対し上方に浮かせる。このとき、両フランジ２ａ、５の接合面間は周方向に亘って防水部材１５により水密に被覆されているため、流体管１内の水が両フランジ２ａ、５の接合面間から漏洩することはない。
【００２２】
次に、図５に示されるように、間隙が形成された両フランジ２ａ、５の接合面間に、操作ハンドル１１ａを用いて弁体１１を嵌挿する。このとき、収容部１０ｂに螺挿された案内ボルト２１を適宜螺挿して、弁体１１先端の高さ位置を調整し、弁体１１を両フランジ２ａ、５の接合面間に案内することができる。
【００２３】
弁体１１を嵌挿した後に、押圧ボルト１２を円筒部１０ａの径方向の内方に向かって螺挿する。押圧ボルト１２の先端部は先細り状のテーパ面１２ａが形成されており、押圧ボルト１２を内方に螺挿するに従って、弁体１１の上面が、押圧ボルト１２のテーパ面１２ａにより漸次下方に押圧される（図示点線囲い部参照）。この作用により、防水性を有する部材で構成された弁体の下面とフランジ５の上面５ａとが密接し、弁体１１のフランジ５の開口が弁体１１により水密に被覆される。
【００２４】
次に、図６に示されるように、作業ボルト９を取外すとともに、補修弁２を除去する。このとき、フランジ５の開口が弁体１１により水密に被覆されているため、流体管１内の水がフランジ５の開口から漏洩することはない。
【００２５】
そして、補修弁２の除去により上方が開放された弁筐体１０の円筒部１０ａに、フランジ体１３を嵌挿する。図７（ａ）、（ｂ）に示されるように、フランジ体１３は、弁筐体１０に嵌挿可能な一体のフランジから成るとともに、円筒部１０ａの外径と略同径の内径を有し、フランジ５よりも大径に形成されている。フランジ体１３の内周面に形成された溝条にパッキン１６が配設されている。また、弁筐体１０とフランジ体１３には、円筒部１０ａの外周面上部において周方向に亘って形成された凹溝１０ｄと、この凹溝１０ｄに嵌合可能に、フランジ体１３の周方向の所定間隔おきに、径方向に螺挿された複数のボルト１７と、からなる一対の係合部が設けられている。フランジ体１３を弁筐体１０の円筒部１０ａに嵌挿し、ボルト１７を凹溝１０ｄ内に向けて螺挿して嵌合させ両体１０、１３を係合する。
【００２６】
このように、フランジ体１３の構成品数を一体に抑えて脱着装置を構成し易くなるばかりか、一体のみのフランジから成るフランジ体１３を弁筐体１０に嵌挿するだけで容易に取付けできる。
【００２７】
また、このように、フランジ体１３と弁筐体１０とに設けられている一対の係合部としての凹溝１０ｄとボルト１７とにより、両体１０、１３を係合することが出来るため、両体１０、１３が外れてしまうことを防止できる。
【００２８】
更に、このように、一対の係合部を凹溝１０ｄとボルト１７とによりシンプルに構成できるばかりか、ボルト１７を凹溝１０ｄに嵌合することでフランジ体１３と弁筐体１０とを確実に係合できる。
【００２９】
次に、図８（ａ）、（ｂ）に示されるように、取付筐体１４は、フランジ体１３と略同径のフランジを有し下端が開放された円筒状であって、上端には、円板状で透光性を有する透光部としてのアクリル板２４を介し、上下面を貫通する窓部２３ｂを周方向に４箇所備えた蓋体２３がボルト・ナット２８により水密に取付けられている。すなわち、窓部２３ｂにおいて、アクリル板２４を通じ取付筐体１４の内部を目視確認できるように成っている。また、蓋体２３の上面中央には、弾性を有するゴム製の筒体から成る環状体としてのコネクタ２７が、ボルト３２により取付けられており、略同軸に設けられたコネクタ２７の貫通孔、蓋体２３の中央孔２３ａ、及びアクリル板２４の中央孔２４ａに、スイーパロッド２５が上下方向に水密に貫設されている。
【００３０】
スイーパロッド２５は、下端に先細り形状の掻取り部２６が設けられた棒状体であって、後述のように上下方向に移動操作でき、及びコネクタ２７の略中央高さ位置に設けられた若干小径の頸部２７ａを支点として水密に回動操作できるように成っている。
【００３１】
図９に示されるように、弁筐体１０に係合したフランジ体１３の上面に、スイーパロッド２５が貫設された取付筐体１４を、ボルト・ナット１８により取付ける。フランジ体１３の上面に形成された溝条にパッキン２２が配設されており、フランジ体１３と取付筐体１４とは水密に接続される。また、スイーパロッド２５は、取付筐体１４の取付時において、フランジ５と略同軸に貫設されている。
【００３２】
上述のように、フランジ５よりも大径に形成されているフランジ体１３を介して取付ける取付筐体１４の内部に、スイーパロッド２５を貫設するスペースを大きく確保できる。
【００３３】
次に、図１０に示されるように、弁体１１を収容部１０ｂ内に収容してフランジ５の開口を開放状態とし、スイーパロッド２５の上端側を把持操作して、下端側の掻取り部２６を、露わになったフランジ５の上面５ａに対しアプローチする。そして、スイーパロッド２５の上端側を回動操作して、フランジ５の上面５ａの全面に亘って掻取り部２６を当接させ、上面５ａに残置されていた既設のパッキン片や塵芥などの異物を取り除く。
【００３４】
取り除いた上記異物の排出については、掻取り部２６に設けられた係止部２６ａに係止させた状態でスイーパロッド２５を引き上げた後、弁体１１を閉塞状態として取付筐体１４外に排出するか、若しくは、取付筐体１４に設けられた図示しない排水口を通じて、取付筐体１４内の流体とともに取付筐体１４外に排出する。
【００３５】
このとき、弾性を有するコネクタ２７の頸部２７ａを支点として、スイーパロッド２５を前後左右に自由に動作することができるため、フランジ５の上面５ａの全面に亘って清掃できる。特にコネクタ２７は、略中央高さ位置に若干小径の頸部２７ａを有しており、コネクタ２７が、この頸部２７ａにおいて屈曲することで、スイーパロッド２５を容易に動作することができる。
【００３６】
また、取付筐体１４に設けられているアクリル板２４を通じ、フランジ５の上面５ａを目視確認しながら、スイーパロッド２５により異物等を残すことなく上面５ａを確実に清掃できる。
【００３７】
更に、スイーパロッド２５が貫通するアクリル板２４が環状に形成されているため、このアクリル板２４を通じて、フランジ５の上面５ａにアプローチするスイーパロッド２５を上面５ａの全面に亘って目視確認し易い。
【００３８】
また、流体管１側のフランジ５と略同軸に貫設されているスイーパロッド２５を用いて、フランジ５の上面５ａの全面に亘り周方向に均等にアプローチできる。
【００３９】
上述のように、スイーパロッド２５を用いてフランジ５の上面５ａを清掃した後に、再びフランジ５の開口を弁体１１により水密に被覆する。そして、図１１（ｂ）に示されるように、フランジ５と略同径、すなわち弁筐体１０の円筒部１０ａの内径と略同径のフランジ２９ａ、２９ｂを両端に備え、分岐部４と略同径の内径を有する新設の付属部品としての短管２９を、フランジ５に接続する。
【００４０】
短管２９の接続について、詳しく説明すると、先ず短管２９の下端のフランジ２９ａを円筒部１０ａの内周に沿って当接するように配置した後に、図１１（ａ）に示される略扇形状であってボルト孔３０ａ、３０ｂを有する複数枚の固定板３０を、短管２９の下端のフランジよりも上方に位置するフランジ体１３の上面に載置して、固定板３０の外周側のボルト孔３０ａに挿通したボルト・ナット１８により、フランジ体１３に周方向に沿って固定する。
【００４１】
次に、図１１（ｂ）に示されるように、固定板３０の内周側のボルト孔３０ｂに、押しボルト３１を下方に向けて螺挿する。押しボルト３１が、フランジ体１３に接続された固定板３０を反力として利用して、短管２９をフランジ５に向けて下方に押圧する。上述したように短管２９のフランジ２９ａは、弁筐体１０の円筒部１０ａの内径と略同径であり、円筒部１０ａの内周に設けられた防水部材１５に水密に摺接しながら下方に移動する。
【００４２】
そして、短管２９がフランジ５の上方近傍まで押圧された位置において、短管２９の上端のフランジ２９ｂに、補修弁４２の下端のフランジ４２ａを接合し、ボルト・ナット４５により接続する（図１２参照）。補修弁４２の弁体４２ｃは、ハンドル４２ｄにより回転し閉塞しておく。
【００４３】
次に、弁体１１を再び収容部１０ｂ内に収容してフランジ５の開口を開放状態とし、短管２９のフランジの下面とフランジ５の上面５ａとを当接させて、短管２９とフランジ５とをボルト・ナット４３により接続する。続いて、図１２に示されるように、フランジ５に取付けていた弁筐体１０とフランジ体１３、及び固定板３０を取外す。
【００４４】
最後に、図１３に示すように、補修弁４２の上側に空気弁４７をボルト・ナット４８により取り付ける。空気弁４７は、既設の空気弁７とほぼ同じ仕様で構成される。補修弁４２のハンドル４２ｄを回動操作して補修弁４２を開放状態にすることにより、空気弁４７と流体管１内が連通し、付属部品としての新たな補修弁４２及び空気弁４７の接続が完了する。尚、付属部品の脱着については、新たな補修弁４２若しくは空気弁４７に変換できることは勿論、既設の補修弁２若しくは空気弁７の点検、保守を行って、これらを再度取付けることもできる。
【００４５】
以上、述べたように、フランジ５に直接取付ける弁筐体１０、及びこれに連通した取付筐体１４を比較的小型化でき、小型化した取付筐体１４に貫設したスイーパロッド２５を用いて、既設の付属部品である補修弁２を取外し弁体１１を開放状態にすることで露わになった流体管１側のフランジ５の上面５ａを、このフランジ５に向かって容易にアプローチして清掃することで、新たに付属部品としての短管２９を、清掃後のフランジ５に異物等を介在させることなく取付けできるため、流体管１の分岐部４内を止水する止水手段を特段に用いることなく、フランジ５を通じて流体管１から漏洩させずに付属部品の脱着作業を確実に行える。
【００４６】
以上、本発明の実施例を図面により説明してきたが、具体的な構成はこれら実施例に限られるものではなく、本発明の要旨を逸脱しない範囲における変更や追加があっても本発明に含まれる。
【００４７】
例えば、上記実施例では、流体管１内を流通する流体は上水であるが、例えば流体管内に下水が流通していてもよいし、油類やガス等が流通していても構わない。
【００４８】
また、上記実施例では、付属部品として補修弁２、短管２９が示されているが、付属部品は、接続部を介して流体管に接続されるものであれば、例えば、空気弁や圧力計若しくは流量計等の計器類などであってもよい。
【００４９】
また、上記実施例では、円板状で中央に孔部を有する透光部としてのアクリル板２４が、取付筐体１４の上端に設けられているが、例えば、透光部として、取付筐体１４の上下方向に延びる円筒部を、アクリル製の円筒部材などの透光性を有する部材で構成するようにしてもよい。
【００５０】
更に、上記実施例では、弾性を有するゴム製の筒体から成る環状体としてのコネクタ２７が、取付筐体１４に取付けられているが、例えば、環状体として、スイーパロッド２５が貫通する板状体が取付けられていてもよい。
【図面の簡単な説明】
【００５１】
【図１】付属部品としての補修弁及び空気弁が接続された流体管を示す正面図である。
【図２】空気弁を取外した流体管を示す正面図である。
【図３】弁筐体及びフランジ体を示す斜視図である。
【図４】（ａ）は、弁筐体の一部断面を示す平面図であり、（ｂ）は、（ａ）と同じく側面図である。
【図５】フランジに弁筐体を取付けた状態を示す断面図である。
【図６】補修弁を取外した状態を示す断面図である。
【図７】（ａ）は、フランジ体の平面図であり、（ｂ）は、（ａ）と同じく一部断面を示す側面図である。
【図８】（ａ）は、スイーパロッドが貫設された取付筐体を示す平面図であり、（ｂ）は、（ａ）と同じく側断面図である。
【図９】取付筐体を取付けた状態を示す断面図である。
【図１０】スイーパロッドを用いてフランジを清掃する状況を示す断面図である。
【図１１】（ａ）は、固定板を示す平面図であり、（ｂ）は、新たに短管を接続する状況を示す断面図である。
【図１２】新たに短管、補修弁を接続し弁筐体を取外した状態を示す断面図である。
【図１３】新たに短管、補修弁及び空気弁を接続した状態を示す正面図である。
【符号の説明】
【００５２】
１                流体管
２                補修弁（付属部品）
２ａ              フランジ（付属部品側のフランジ）
４                分岐管（分岐部）
５                フランジ（流体管側のフランジ）
５ａ              上面（接合面）
７                空気弁
１０              弁筐体
１１              弁体
１２              押圧ボルト（押圧部）
１３              フランジ体
１４              取付筐体
１５              防水部材
２３              蓋体
２４              アクリル板（透光部）
２５              スイーパロッド
２７              コネクタ（環状体）
２９              短管（付属部品）
２９ａ            フランジ（付属部品側のフランジ）
３０              固定板
４２              補修弁
４７              空気弁
【図１】
0005295530.tif 000002
【図２】
0005295530.tif 000003
【図３】
0005295530.tif 000004
【図４】
0005295530.tif 000005
【図５】
0005295530.tif 000006
【図６】
0005295530.tif 000007
【図７】
0005295530.tif 000008
【図８】
0005295530.tif 000009
【図９】
0005295530.tif 000010
【図１０】
0005295530.tif 000011
【図１１】
0005295530.tif 000012
【図１２】
0005295530.tif 000013
【図１３】
0005295530.tif 000014